(57)【要約】  複数のフィンガ２１・・２１を進退駆動するポンプ本体１１と、このポンプ本体１１の輸液チューブ装着部を開閉自在に覆う扉１２とを備えた輸液ポンプにおいて、ポンプ本体１１のフィンガ群２１・・２１の側方両側にそれぞれ嵌合凸部５を設けるとともに、扉１２側には前記嵌合凸部５に嵌り合う嵌合凹部６を設ける。このように嵌合凸部５と嵌合凹部６とを設けておくことにより、輸液チューブＴが正しくセットされずにフィンガ２１の側方に外れた場合、ポンプ本体１１側の嵌合凸部５と扉１２側の嵌合凹部６との間に輸液チューブＴが挟まって扉１２を閉じることができなくなるので、そのセット不良を看護師等のユーザが知ることができる。
2013161518.tif 000002
【特許請求の範囲】
【請求項１】
一方向に配列された複数のフィンガを進退駆動することにより輸液チューブを押圧して当該輸液チューブ内の輸液を一方向に送液するポンプ機構を有するポンプ本体と、前記ポンプ本体の輸液チューブ装着部を開閉自在に覆う扉とを備えた輸液ポンプにおいて、
前記ポンプ本体には前記フィンガ群の側方両側にそれぞれ嵌合凸部が設けられているとともに、前記扉側には前記各嵌合凸部に対応する位置にそれぞれ嵌合凹部が設けられており、
前記ポンプ本体に輸液チューブを装着する扉開放状態のときには前記嵌合凸部と前記嵌合凹部とは非嵌合状態であり、前記扉が前記開放状態から閉鎖される過程において前記嵌合凸部と嵌合凹部とが嵌合するように構成されていることを特徴とする輸液ポンプ。
【請求項２】
一方向に配列された複数のフィンガを進退駆動することにより輸液チューブを押圧して当該輸液チューブ内の輸液を一方向に送液するポンプ機構を有するポンプ本体と、前記ポンプ本体の輸液チューブ装着部を開閉自在に覆う扉とを備えた輸液ポンプにおいて、
前記ポンプ本体には前記フィンガ群の側方両側にそれぞれ嵌合凹部が設けられているとともに、前記扉側には前記各嵌合凹部に対応する位置にそれぞれ嵌合凸部が設けられており、
前記ポンプ本体に輸液チューブを装着する扉開放状態のときには前記嵌合凹部と前記嵌合凸部とは非嵌合状態であり、前記扉が前記開放状態から閉鎖される過程において前記嵌合凹部と前記嵌合凸部とが嵌合するように構成されていることを特徴とする輸液ポンプ。
【請求項３】
請求項１または２記載の輸液ポンプにおいて、
前記複数のフィンガの前面側を開閉自在に覆う扉に設けられ、当該扉を閉鎖した状態で前記複数のフィンガの先端部に対向して配置される押圧板を備え、
前記扉側の嵌合凹部または嵌合凸部は前記押圧板に設けられていることを特徴とする輸液ポンプ。
【請求項４】
請求項３記載の輸液ポンプにおいて、
前記扉が閉鎖状態のときに前記嵌合凸部が前記嵌合凹部に嵌り込む深さは、前記押圧板が前記扉の内壁に向けて変位する変位量よも大きいことを特徴する輸液ポンプ。
【請求項５】
請求項１または２記載の輸液ポンプにおいて、
前記扉側の嵌合凹部または嵌合凸部は、当該扉の内壁に設けられていることを特徴とする輸液ポンプ。
【請求項６】
請求項１〜５のいずれか１つに記載の輸液ポンプにおいて、
前記ポンプ本体の複数のフィンガの側方両側に、それぞれ、複数の嵌合凸部または嵌合凹部が設けられているとともに、前記扉側には、前記ポンプ本体の複数の嵌合凸部または嵌合凹部に対応する数の嵌合凹部または嵌合凸部が設けられていることを特徴とする輸液ポンプ。
【発明の詳細な説明】
【技術分野】
【０００１】
本発明は、医療用の薬液を体内に注入する場合などに用いる輸液ポンプに関する。
【背景技術】
【０００２】
輸液ポンプとしては、例えば、機械的注入式輸液ポンプ、重力を利用した自然滴下式輸液ポンプ、予圧注入式輸液ポンプなどの種々の方式のものが知られている。【０００３】
機械的注入式輸液ポンプとしては、シリンジのピストンを押圧して輸液を行うシリンジ式輸液ポンプや、ペリスタルティック式輸液ポンプがある。また、ペリスタルティック式輸液ポンプには、ローラを備えたロータ等により輸液チューブを押圧して輸液を行うローラ式輸液ポンプ、及び、フィンガ式輸液ポンプがある。【０００４】
これら輸液ポンプのうち、フィンガ式輸液ポンプは、例えば、ポンプ本体に配列された複数のフィンガ、その各フィンガを個別に進退駆動するカム、及び、ポンプの扉側に設けられ、その扉を閉じた状態で上記複数のフィンガの先端部に対向して配置される押圧板などを有するポンプ機構を備え、輸液バッグに接続された輸液チューブ（例えば、ポリ塩化ビニルやポリブタジエン製）を、ポンプ本体（複数のフィンガの前面側）に装着し扉を閉じることにより、輸液チューブを上記複数のフィンガと押圧板との間に配置するようになっている。そして、この状態で、各フィンガをカムにて個別に進退駆動することにより、輸液チューブを各フィンガで順次押圧して輸液を蠕動運動にて送り出すことができる（例えば、特許文献１、２参照）。
【先行技術文献】
【特許文献】
【０００５】
【特許文献１】特開２００８−１１３７２６号公報
【特許文献２】特開２００６−２５５０５７号公報
【発明の概要】
【発明が解決しようとする課題】
【０００６】
フィンガ式輸液ポンプにおいて、輸液チューブＴをセットする際には、扉を開いた状態で、例えば、図２６（Ａ）に示すように、輸液チューブＴを、［上流側ガイド部５０１］→［ポンプ機構の複数のフィンガ５０３・・５０３上］→［下流側ガイド部５０２］の順に装着する。そして、このようなチューブ装着が終了した後に、扉を閉め、扉ロック機構によって扉を閉鎖状態にロックすることにより、輸液チューブＴのセッティングを完了する。【０００７】
ここで、輸液チューブＴをセットする際に、図２６（Ａ）に示すように、輸液チューブＴが複数のフィンガ５０３・・５０３上に直線状に装着された状態で扉が閉じられた場合には問題はない。しかしながら、何らかの理由により、例えば、輸液チューブＴがたるんだ状態で装着されていると、扉を閉鎖したときに輸液チューブＴが横方向（側方）にずれてしまい、図２６（Ｂ）に示すように、フィンガ５０３上から外れた状態となる場合があり、看護師等のユーザは、そのセット不良に気づかずに、輸液ポンプを駆動するおそれがある。【０００８】
本発明はそのような実情を考慮してなされたもので、ポンプ本体に輸液チューブが正しくセットされていない場合には、そのセット不良を看護師等のユーザが知ることが可能な輸液ポンプを提供することを目的とする。
【課題を解決するための手段】
【０００９】
本発明は、一方向に配列された複数のフィンガを進退駆動することにより輸液チューブを押圧して当該輸液チューブ内の輸液を一方向に送液するポンプ機構を有するポンプ本体と、前記ポンプ本体の輸液チューブ装着部を開閉自在に覆う扉とを備えた輸液ポンプを前提としており、このような輸液ポンプにおいて、前記ポンプ本体には前記フィンガ群の側方両側（フィンガ配列方向と交差する側方の両側）にそれぞれ嵌合凸部が設けられているとともに、前記扉側には前記各嵌合凸部に対応する位置にそれぞれ嵌合凹部が設けられている。そして、前記ポンプ本体に輸液チューブを装着する扉開放状態のときには前記嵌合凸部と前記嵌合凹部とは非嵌合状態であり、前記扉が前記開放状態から閉鎖される過程において前記嵌合凸部と嵌合凹部とが嵌合するように構成されていることを技術的特徴としている。【００１０】
また、本発明は、一方向に配列された複数のフィンガを進退駆動することにより輸液チューブを押圧して当該輸液チューブ内の輸液を一方向に送液するポンプ機構を有するポンプ本体と、前記ポンプ本体の輸液チューブ装着部を開閉自在に覆う扉とを備えた輸液ポンプにおいて、前記ポンプ本体には前記フィンガ群の側方両側（フィンガ配列方向と交差する側方の両側）にそれぞれ嵌合凹部が設けられているとともに、前記扉側には前記各嵌合凹部に対応する位置にそれぞれ嵌合凸部が設けられている。そして、前記ポンプ本体に輸液チューブを装着する扉開放状態のときには前記嵌合凹部と前記嵌合凸部とは非嵌合状態であり、前記扉が前記開放状態から閉鎖される過程において前記嵌合凹部と前記嵌合凸部とが嵌合するように構成されていることを技術的特徴としている。【００１１】
以下、本発明の作用について述べる。【００１２】
まず、本発明において、輸液チューブを輸液ポンプにセットする際に、輸液チューブが複数のフィンガ上に直線状に配置された状態で扉の閉鎖操作が行われた場合には、その扉を閉じる過程において、ポンプ本体側の嵌合凸部（または嵌合凹部）と扉側の嵌合凹部（または嵌合凸部）とが互いに嵌り合うので、扉を完全に閉鎖することができる。【００１３】
これに対し、例えば、輸液チューブがたるんだ状態で装着されており、扉を閉じる過程などにおいて輸液チューブがフィンガの側方に外れた場合、ポンプ本体側の嵌合凸部（または嵌合凹部）と扉側の嵌合凹部（または嵌合凸部）との間に輸液チューブが位置するので、扉を閉じる過程において嵌合凸部（先端角部）と嵌合凹部（開口の角部）との間に輸液チューブが挟まり、その両者間に挟まった輸液チューブが障害となって扉を閉じることができなくなる。【００１４】
このように、本発明によれば、輸液チューブが正しくセットされていない場合には、扉を閉じることができないので、チューブセットの際に扉の閉鎖が不可であるときには、看護師等のユーザは、輸液チューブが正しくセットされていないことを知ることができる。そして、そのセット不良に気づいたときに、輸液チューブを装着しなおすことにより、輸液チューブを正しくセットすることが可能になる。これにより、輸液チューブが正しくセットされていない状態で輸液ポンプが駆動されてしまう、という不都合を回避することができる。【００１５】
本発明において、前記ポンプ本体の輸液チューブ装着部を開閉自在に覆う扉に設けられ、当該扉を閉鎖した状態で複数のフィンガの先端部に対向して配置される押圧板を備えている場合、その押圧板に前記嵌合凹部（または嵌合凸部）を設けておいてもよい。【００１６】
この場合、扉の閉鎖状態のときに、嵌合凸部が嵌合凹部に嵌り込む深さは、押圧板が扉の内壁側に向けて変位する変位量よも大きく設定することが好ましい。このような構成を採用すれば、ポンプ本体側の嵌合凸部（または嵌合凹部）と、扉の押圧板に設けた嵌合凹部（または嵌合凸部）との間に輸液チューブが挟まった時点から、扉が更に閉じ側に操作され、押圧板の背面側の弾性部材（圧縮コイルばね等）が収縮して押圧板が扉側に変位しても、扉を閉じることができない（完全閉鎖位置まで到達しない）ので、チューブセット不良時において扉の閉鎖を確実に阻止することができる。【００１７】
また、本発明において、扉側の嵌合凹部または嵌合凸部は、扉の内壁（例えば、押圧板を支持する壁体）に設けておいてもよい。【００１８】
本発明において、ポンプ本体のフィンガ群の側方両側に、それぞれ、１つの嵌合凸部（または嵌合凹部）を設け、扉側に、前記ポンプ本体の各嵌合凸部（または各嵌合凹部）に対応する位置にそれぞれ嵌合凹部（または嵌合凸部）を設けておいてもよい。【００１９】
また、ポンプ本体のフィンガ群の側方両側に、それぞれ、複数の嵌合凸部（または嵌合凹部）をフィンガ配列方向（輸液送り方向）に沿って配置するとともに、それら複数の嵌合凸部（または嵌合凹部）に対応する数の嵌合凹部（または嵌合凸部）を扉側に設けておいてもよい。このように、フィンガの側方で輸液送り方向の複数の個所に、嵌合凸部と嵌合凹部とからなる嵌合部を設けておくことにより、チューブセット不良時において扉の閉鎖を更に確実に阻止することができる。
【発明の効果】
【００２０】
本発明によれば、輸液チューブが正しくセットされていない場合には、扉を閉じることができないので、その扉閉鎖不可により、看護師等のユーザは、輸液チューブのセット不良を知ることができる。これによって、輸液チューブが正しくセットされていない状態で輸液ポンプが駆動されてしまう、という不都合を回避することができる。
【図面の簡単な説明】
【００２１】
【図１】本発明の輸液ポンプの一例を示す外観斜視図である。
【図２】本発明の輸液ポンプの一例を示す概略構成図である。この図２では輸液ポンプの扉を開いた状態を示している。
【図３】本発明の輸液ポンプに適用するポンプ機構の構造の一例を示す図である。
【図４】ポンプ機構のフィンガの動作を示す図である。なお、図４は各フィンガをカム軸と直交する面で切断した断面図である。
【図５】ポンプ機構の動作説明図である。
【図６】ポンプ機構の動作説明図である。
【図７】図２のポンプ本体のポンプフィンガ部の拡大図である。
【図８】図２のＸ−Ｘ断面図である。
【図９】図２に示す輸液ポンプに適用する押圧板の正面図（Ａ）、平面図（Ｂ）、及び、側面図（Ｃ）を併記して示す図である。
【図１０】図２に示すポンプ本体のポンプフィンガ部及び押圧板の斜視図である。
【図１１】輸液チューブがフィンガ上から外れた状態を示す図であって、（Ａ）は左側方に外れた状態を示し、（Ｂ）は右側方に外れた状態を示してしている。
【図１２】図２の輸液ポンプにおいて扉を閉じる過程において嵌合凸部と嵌合凹部との間に輸液チューブが挟まれた状態を示す図であって、（Ａ）は輸液チューブがフィンガに対して左側方に外れた場合を示し、（Ｂ）は輸液チューブがフィンガに対して右側方に外れた場合を示している。
【図１３】図２の輸液ポンプにおいてポンプ本体側の嵌合凸部と扉側の嵌合凹部との間に輸液チューブが挟まれた状態を示す断面図である。
【図１４】ポンプ本体側の嵌合凸部の変形例を示す図（Ａ）、及び、押圧板に設ける嵌合凹部の変形例を示す図（Ｂ）を併記して示す図である。
【図１５】押圧板及び扉側の嵌合凹部の変形例を示す正面図（Ａ）、平面図（Ｂ）、及び側面図（Ｃ）を併記して示す図である。
【図１６】本発明の輸液ポンプの他の例を示す概略構成図である。この図１６では輸液ポンプの扉を開いた状態を示している。
【図１７】図１６のポンプ本体のポンプフィンガ部の拡大図である。
【図１８】図１６のＹ−Ｙ断面図である。
【図１９】図１６の輸液ポンプに適用する押圧板の正面図（Ａ）、平面図（Ｂ）、及び、側面図（Ｃ）を併記して示す図である。
【図２０】図１６に示すポンプ本体のポンプフィンガ部及び押圧板の斜視図である。
【図２１】輸液チューブがフィンガ上から外れた状態を示す図であって、（Ａ）は左側方に外れた状態を示し、（Ｂ）は右側方に外れた状態を示してしている。
【図２２】図１６の輸液ポンプにおいて扉を閉じる過程において嵌合凸部と嵌合凹部との間に輸液チューブが挟まれた状態を示す図であって、（Ａ）は輸液チューブがフィンガに対して左側方に外れた場合を示し、（Ｂ）は輸液チューブがフィンガに対して右側方に外れた場合を示している。
【図２３】図１６の輸液ポンプにおいてポンプ本体側の嵌合凸部と扉側の嵌合凹部との間に輸液チューブが挟まれた状態を示す断面図である。
【図２４】ポンプ本体側の嵌合凹部の変形例を示す図（Ａ）、及び、押圧板に設ける嵌合凸部の変形例を示す図（Ｂ）を併記して示す図である。
【図２５】押圧板及び扉側の嵌合凸部の変形例を示す正面図（Ａ）、平面図（Ｂ）、及び、側面図（Ｃ）を併記して示す図である。
【図２６】輸液ポンプに輸液チューブが正しくセットされた場合の図（Ａ）と、輸液ポンプに輸液チューブが正しくセットされていない場合の図（Ｂ）とを併記して示す図である。
【発明を実施するための形態】
【００２２】
以下、本発明の実施形態を図面に基づいて説明する。
【００２３】
［実施形態１］
本発明の輸液ポンプの一例について図１〜図１０を参照して説明する。
【００２４】
この例の輸液ポンプ１は、ペリスタルティックフィンガ式の輸液ポンプであって、ポンプ本体１１と、このポンプ本体１１の前面側（チューブ装着部）を閉鎖する扉１２とを備えている。扉１２はヒンジ１３，１３を介してポンプ本体１１に揺動自在（回転自在）に支持されており、ポンプ本体１１の前面側を完全に閉鎖する位置から、完全開放位置（例えば、１８０°開く位置）までの間において揺動可能となっている。
【００２５】
なお、扉１２はポンプ本体１１の前面側の全体を覆う形状であってもよいし、扉１２はポンプ本体１１の前面側の一部（チューブ装着部を含む）を覆う形状であってもよい。
【００２６】
ポンプ本体１１の前面壁１１０にはチューブ装着ガイド（ガイド溝）１３０が設けられている。チューブ装着ガイド１３０は、輸液送り方向の上流側から順に、上流側ガイド部１３１、この上流側ガイド部１３１から矩形状に拡大したポンプフィンガ部１３３、及び、下流側ガイド部１３２を備えている。ポンプフィンガ部１３３には、後述するポンプ機構２のフィンガ２１・・２１の先端部が臨んでいる。
【００２７】
チューブ装着ガイド１３０の上流側ガイド部１３１は、横方向に湾曲した形状（曲り形状）に形成されている。また、ポンプフィンガ部１３３の下流側の下流側ガイド部１３２は上下方向に直線状に延びる形状に形成されている。上流側ガイド部１３１の溝幅及び下流側の下流側ガイド部１３２の溝幅は、それぞれ、薬液バッグに接続される輸液チューブ（例えば、ポリ塩化ビニルやポリブタジエン製）Ｔの外径（直径）に対応する大きさとなっており、これら上流側ガイド部１３１及び下流側ガイド部１３２に輸液チューブＴを嵌め込むことによって、輸液ポンプ１に輸液チューブＴを装着することができる。なお、下流側ガイド部１３２には、ポンプ本体１１に装着された輸液チューブＴ内に混入した気泡を検出する気泡センサ（例えば、超音波センサ）７１が配置されている。
【００２８】
上流側ガイド部１３１にはチューブクランプ１３４が設けられている。チューブクランプ１３４は、輸液ポンプ１へのチューブ装着時に、輸液チューブＴを一時的に保持する部材であり、チューブ装着後に扉１２を閉じた際に自動的にクランプが解除されるようになっている。なお、チューブクランプ１３４の近傍には、クランプレバー（図示せず）が設けられており、輸液チューブＴの装着の際に、そのクランプレバーを操作することによりチューブクランプ１３４を開放状態にすることができる。
【００２９】
ポンプ本体１１及び扉１２には、扉１２を閉めたときに、その閉鎖状態を保持するための扉ロック機構１４が設けられている。扉ロック機構１４は、ドアロックレバー１４１及びフック１４２などによって構成されており、扉１２を閉鎖した状態でドアロックレバー１４１を回動操作してフック１４２に引っ掛けることによって扉１２を閉鎖状態にロックすることができる。
【００３０】
扉１２の内面側には押圧板３が設けられている。また、扉１２の内面側には、輸液チューブＴの下流側の閉鎖を検知する閉塞センサ７２が設けられている。
【００３１】
押圧板３は、図９に示すように、中央の押圧部３１と、この押圧部３１の側方両側（上下方向（輸液送り方向）と交差（直交）する側方の両側）に一体形成された支持部３２，３２とによって構成されている。押圧板３の押圧部３１は、扉１２を閉鎖した状態でポンプ本体１１のポンプフィンガ部１３３（矩形状の凹部）に入り込むことが可能となっており、その扉１２の閉鎖状態で、押圧部３１が上記ポンプ機構２のフィンガ２１（最後退位置のフィンガ２１）の先端に対して所定の間隔（輸液チューブＴの外径（直径）に相当する間隔）をあけて対向するようになっている（図８参照）。
【００３２】
押圧板３は、図９に示すように、支持ピン（小ねじ等）３４・・３４によって扉１２の内壁１２０に対し接近離反自在に支持されている。また、押圧板３と扉１２の内壁１２０との間には圧縮コイルばね３３，３３が挟み込まれており、輸液チューブＴがポンプ機構２のフィンガ２１によって圧閉される際に、輸液チューブＴがフィンガ２１から受ける負荷が大きすぎる場合は、押圧板３が扉１２の内壁１２０側へ後退するようなっている。これにより輸液チューブＴがフィンガ２１から受ける過負荷を軽減することができ、輸液チューブＴの寿命を延ばすことができる。なお、押圧板３の支持部３２，３２の中央（押圧部３１の長手方向の中央）には、後述する嵌合凹部６，６が設けられている。
【００３３】
以上の構成の輸液ポンプ１に輸液チューブＴをセットする際には、扉１２を開き、薬液バッグに接続された輸液チューブＴを、［上流側ガイド部１３１（チューブクランプ１３４）］→［ポンプフィンガ部１３３］→［下流側ガイド部１３２］の順に嵌め込むことによって輸液チューブＴを装着する。このようなチューブ装着が終了した後に、扉１２を閉め、扉ロック機構１４（１４１，１４２）によって扉１２を閉鎖状態にロックすることにより、輸液チューブＴのセッティングを完了する。
【００３４】
なお、この例では、上述したように、扉１２を閉鎖した状態では、上流側ガイド部１３１のチューブクランプ１３４は開放される。また、輸液完了後などにおいて、扉１２を開いたときには、チューブクランプ１３４によって輸液チューブＴが閉塞され、いわゆるフリーフローが防止される。
【００３５】
−ポンプ機構−
次に、ポンプ機構２の具体的な例について図３〜図６を参照して説明する。なお、図３〜図６において、偏心カム２２については切断しないで表記している。また、図３、図５及び図６において、ポンプ本体１１の前面壁１１０の図示は省略している。
【００３６】
ポンプ機構２は、一方向（上記ポンプ本体１１のポンプフィンガ部１３３に装着した輸液チューブＴに沿う方向（上下方向））に沿って配列された複数（図３に示す例では１３個）のフィンガ２１・・２１、その各フィンガ２１をそれぞれ個別に進退駆動するための偏心カム２２・・２２、各偏芯カム２２を回転するカム軸２３、上記した押圧板３、及び、保持フレーム２０などによって構成されている。
【００３７】
保持フレーム２０の前面側には各フィンガ２１に対応する位置に開口部２０ａ・・２０ａが設けられており、この開口部２０ａを通じて各フィンガ２１の先端部が保持フレーム２０の前面側（輸液チューブＴ側）に臨んでいる。また、これら複数のフィンガ２１・・２１の軸方向（カム軸２３の軸心方向）の移動は保持フレーム２０によって規制されている。なお、各フィンガ２１は板状の部材であって、相互に摺動しながら個別に移動（進退移動）可能となっている。
【００３８】
各フィンガ２１にはそれぞれカム穴２１ａが形成されている。その各カム穴２１ａには、それぞれ円板状の偏心カム２２が嵌め込まれている。各偏心カム２２はカム穴２１ａ内において回転可能であり、これら偏心カム２２・・２２は上記カム軸２３に回転一体に取り付けられている。
【００３９】
各偏心カム２２は、その円板の中心がカム軸２３に対して偏心しており、図４に示すように、カム軸２３が１回転（３６０°回転）すると、フィンガ２１の先端が最前進位置（チューブ閉塞位置）と最後退位置（チューブ完全開放位置）との間を１回往復するようになっている。そして、これらの複数の偏心カム２２は相互に所定の位相差（カム軸２３の回転方向の位相差）をもってカム軸２３に取り付けられている。具体的には、偏心カム２２・・２２は、カム軸２３の軸方向に並ぶ複数のフィンガ２１・・２１の先端部が略正弦波に沿うような位相差（３６０°／偏心カム２２の数）でカム軸２３に取り付けられている。なお、図４には、カム軸２３が９０°回転するごとのフィンガ２１の位置を示している。
【００４０】
上記ポンプ機構２のカム軸２３は、図３に示すように、上下方向（複数のフィンガ２１・・２１の配列方向）に沿って設けられている。カム軸２３の下端部は、保持フレーム２０に設けられたベアリング２６によって回転自在に支持されている。カム軸２３の上側部分は、保持フレーム２０の壁体を貫通して上方に突出している。そのカム軸２３の貫通部分にはベアリング２５が設けられており、そのベアリング２５によってカム軸２３の上側部分が回転自在に支持されている。
【００４１】
カム軸２３の上端部にはタイミングプーリ（従動プーリ）２０１が回転一体に取り付けられている。このカム軸２３のタイミングプーリ２０１と、電動モータ（例えばステッピングモータ）４の回転軸４１に回転一体に取り付けられたタイミングプーリ（駆動プーリ）２０２との間にタイミングベルト２１０が巻き掛けられており、その電動モータ４の駆動によりカム軸２３が回転する。電動モータ４は制御部７によって駆動制御（回転数制御）される。なお、この例において、電動モータ４及び制御部７等には、輸液ポンプ１に内蔵の電池または商用電源からの電力が供給されるようになっている。
【００４２】
そして、電動モータ４の駆動によりカム軸２３が回転すると、各偏心カム２２がフィンガ２１のカム穴２１ａ内で回転する。この偏心カム２２の偏心回転に伴って、各フィンガ２１が上流側（輸液送り方向の上流側）から下流側にかけて順次前進・後退していく。具体的には、図５（Ａ）、（Ｂ）及び図６（Ａ）、（Ｂ）に示すように、フィンガ２１の先端部が上流側から下流側に蠕動波状に移動していく。このようなフィンガ２１・・２１の進退移動（往復移動）によって、これらフィンガ２１・・２１の先端部と押圧板３との間に配置された輸液チューブＴに蠕動運動が付与され、当該輸液チューブＴ内の輸液が上流側から下流側へと送り出されていく。
【００４３】
ここで、この例の輸液ポンプ１においては、電動モータ４が停止状態のときに、ポンプ機構２の複数のフィンガ２１・・２１のうち、１つのフィンガ２１もしくは２つのフィンガ２１が最前進位置（チューブ完全閉塞位置）に配置され、扉１２を閉鎖した状態で、ポンプ機構２の１つのフィンガ２１もしくは２つのフィンガ２１によって輸液チューブＴが完全閉塞される。
【００４４】
−制御部等の構成−
制御部７は、マイクロコンピュータ等を主体として構成されている。制御部７には、上記した気泡センサ７１、及び、閉塞センサ７２などが接続されており、その各センサの出力信号が制御部７に入力される。
【００４５】
また、制御部７には、上記したポンプ機構２の駆動用の電動モータ４、及び、扉１２の前面に設置された表示操作部１２１（図１参照）などが接続されている。表示操作部１２１は、表示パネル（液晶ディスプレイ）１２２と、操作パネル１２３とを備えている。
【００４６】
そして、制御部７は、表示操作部１２１の操作パネル１２３の操作にて設定（入力）された輸液流量（単位時間当たりの輸液の送り量）の設定値に応じて、ポンプ駆動機構２の電動モータ４の回転数を制御することにより輸液流量を可変に調整する。この例では、例えば輸液流量を１ｍＬ／ｈ〜１２００ｍＬ／ｈの範囲内において、［１ｍＬ／ｈ］単位で設定することができる。
【００４７】
また、制御部７は、表示操作部１２１の表示パネル１２２に、「輸液流量」や「注入積算量」などの動作情報を表示する処理、気泡センサ７１の出力信号に基づいて輸液チューブＴ内に混入した気泡の長さを認識し、その気泡長さが所定値以上の気泡が存在する場合には、気泡異常を表示パネル１２２に表示すると同時にブザー装置（図示せず）等を作動する処理、及び、閉塞センサ７２の出力信号に基づいて、例えば、扉１２が確実に閉じているか否かの情報を表示パネル１２２に表示する処理などを行う。
【００４８】
−特徴部分−
次に、この例の輸液ポンプ１の特徴部分について説明する。
【００４９】
まず、フィンガ式の輸液ポンプ１において、輸液ポンプ１に輸液チューブＴをセットする際には、上述したように、扉１２を開き、薬液バッグに接続された輸液チューブＴを、［上流側ガイド部１３１（チューブクランプ１３４）］→［ポンプフィンガ部１３３］→［下流側ガイド部１３２］の順に嵌め込むことによって輸液チューブＴを装着する。このようなチューブ装着が終了した後に、扉１２を閉め、扉ロック機構１４（１４１，１４２）によって扉１２を閉鎖状態にロックすることにより、輸液チューブＴのセッティングを完了する。
【００５０】
このようなセッティングにおいて、図２及び図１０に示すように、輸液チューブＴが複数のフィンガ２１・・２１上に直線状に配置されている場合には問題はない。しかしながら、何らかの理由により、例えば、輸液チューブＴにたるみ等が生じると、輸液チューブＴが複数のフィンガ２１上から外れた状態で装着される場合がある。このような状況になったときに、輸液ポンプ１の扉１２を閉鎖することが可能であると、看護師等のユーザはそのセット不良を気づかずに、輸液ポンプ１を駆動してしまうおそれがある。
【００５１】
このような点を考慮し、この例では、ポンプ本体１１に輸液チューブＴが正しくセットされていない場合には、そのセット不良を、看護師等のユーザが知ることができるようにする。その具体的な構成について以下に説明する。
【００５２】
この例の輸液ポンプ１では、図２及び図７〜図１０に示すように、ポンプ本体１１側に嵌合凸部５，５を設けるとともに、扉１２側に嵌合凹部６，６を設けている。そして、ポンプ本体１１のチューブ装着ガイド１３０に輸液チューブＴを装着する扉開放状態のときには、ポンプ本体１１側の嵌合凸部５と扉１２側の嵌合凹部６とは非嵌合状態であり、その扉開放状態から扉１２が閉鎖される過程において嵌合凸部５と嵌合凹部６とが嵌合するように構成している。
【００５３】
ポンプ本体１１側の嵌合凸部５，５は、ポンプ本体１１のポンプフィンガ部１３３（ポンプ機構２のフィンガ群２１・・２１）の側方であって、フィンガ２１・・２１の配列方向（以下、フィンガ配列方向ともいう）と交差（直交）する側方の両側にそれぞれ配置されている。これら嵌合凸部５，５は、ポンプフィンガ部１３３の側壁１３３ａ，１３３ａから、それぞれ、フィンガ配列方向と直交する方向（前面壁１１０と並行な方向）に一定の厚さｔａで延びる正面視矩形の部材であって、ポンプフィンガ部１３３の中央（フィンガ配列方向の中央）に位置している。なお、各嵌合凸部５，５は前面壁１１０に一体形成されている。
【００５４】
嵌合凸部５，５の高さ（ポンプ本体１１の前面壁１１０に対する高さ）は、ポンプフィンガ部１３３の側壁１３３ａ，１３３ａの高さよりも高くしており（図８参照）、扉１２を閉鎖したときに、その扉１２側の嵌合凹部６，６に嵌り合うことが可能となっている。また、嵌合凸部５，５をポンプフィンガ部１３３の側壁１３３ａ，１３３ａよりも高くしておくことにより、これら嵌合凸部５，５が、輸液チューブＴがポンプフィンガ部１３３（フィンガ２１・・２１）の側方にずれることを防止するストッパとしても機能する。
【００５５】
一方、扉１２側の嵌合凹部６，６は押圧板３に設けられている。具体的には、嵌合凹部６，６は、押圧板３の押圧部３１の側方両側の支持部３２であって、上記ポンプ本体１１側の各嵌合凸部５，５に対応する位置に設けられている。嵌合凹部６，６は、それぞれ、上下方向（押圧部３１の長手方向）と直交する方向（内壁１２０面と並行な方向）に沿って一定幅ｗａで延びる矩形スリット状の切欠きである。
【００５６】
嵌合凹部６，６の幅ｗａ（上下方向の幅）は、ポンプ本体１１側の嵌合凸部５，５の厚さｔａ（上下方向の厚さ）よりも所定量だけ大きく設定されている。また、図８に示すように、嵌合凸部５，５の長さＬａ（フィンガ配列方向と直交する方向の長さ）は、上記押圧板３の嵌合凹部６，６の長さＭａ（フィンガ配列方向と直交する方向の長さ）よりも短い寸法となっており、扉１２を閉じる過程において（輸液チューブＴが正しく装着されている状態において）、ポンプ本体１１側の嵌合凸部５，５と扉１２側の押圧板３とが干渉しないようになっている。
【００５７】
また、扉１２の完全閉鎖状態において、嵌合凸部５が嵌合凹部６に嵌り込む深さＤａ（図８参照）は、扉１２に設けた押圧板３が圧縮コイルばね３３の弾性力に抗して扉１２の内壁１２０側に変位する変位量の最大値よりも十分に大きな寸法に設定している。
【００５８】
また、扉１２の完全閉鎖状態において、嵌合凸部５の先端と嵌合凹部６の底面との間に隙間が形成されるようになっており（図８参照）、それら嵌合凸部５の先端と嵌合凹部６の底面とが干渉することはない。
【００５９】
＜作用効果＞
次に、本実施形態の作用効果について図２及び図７〜図１３を参照して説明する。
【００６０】
まず、図２及び図１０に示すように、輸液チューブＴが複数のフィンガ２１・・２１上に直線状に配置された状態で扉１２の閉鎖操作が行われた場合には、その扉１２を閉じる過程において、ポンプ本体１１に設けた嵌合凸部５，５（ポンプ本体側の嵌合凸部）と、扉１２の押圧板３に設けた嵌合凹部６，６（扉側の嵌合凹部）とが互いに嵌り合うので、扉１２を完全に閉鎖することができる（図８参照）。
【００６１】
これに対し、例えば、輸液チューブＴがたるんだ状態で装着されており、扉１２を閉じる過程などにおいて輸液チューブＴがフィンガ２１（ポンプフィンガ部１３３）の左側方（正面から見て左側方）に外れた場合、ポンプ本体１１側の嵌合凸部５（左側の嵌合凸部５）上に輸液チューブＴが位置するので（図１１（Ａ）参照）、扉１２を閉じる過程において、図１２（Ａ）及び図１３に示すように、ポンプ本体１１側の嵌合凸部５（先端角部）と扉１２側の嵌合凹部６（開口の角部）との間に輸液チューブＴが挟まり、その両者間に挟まった輸液チューブＴが障害となって扉１２を閉じることができなくなる。
【００６２】
また、同様な理由により、輸液チューブＴがフィンガ２１（ポンプフィンガ部１３３）の右側方（正面から見て右側方）に外れた場合、ポンプ本体１１側の嵌合凸部５（右側の嵌合凸部５）上に輸液チューブＴが位置するので（図１１（Ｂ）参照）、扉１２を閉じる過程において、図１２（Ｂ）に示すように、ポンプ本体１１側の嵌合凸部５（先端角部）と扉１２側の嵌合凹部６（開口の角部）との間に輸液チューブＴが挟まり、その両者間に挟まった輸液チューブＴが障害となって扉１２を閉じることができなくなる。
【００６３】
このように、本実施形態によれば、輸液チューブＴが正しくセットされていない場合には、扉１２を閉じることができないので、チューブセットの際に扉１２の閉鎖が不可であるときには、看護師等のユーザは、輸液チューブＴが正しくセットされていないことを知ることができる。そして、そのセット不良に気づいたときに、輸液チューブＴをポンプ本体１１に装着しなおすことにより、輸液チューブＴを正しくセットすることが可能になる。これにより、輸液チューブＴが正しくセットされていない状態で輸液ポンプ１が駆動されてしまう、という不都合を回避することができる。
【００６４】
しかも、本実施形態では、扉１２の完全閉鎖状態において嵌合凸部５が嵌合凹部６に嵌り込む深さＤａ（図８参照）は、扉１２に設けた押圧板３が、圧縮コイルばね３３，３３の弾性力に抗して扉１２の内壁１２０側に変位する変位量の最大値よりも十分に大きな寸法としているので、ポンプ本体１１側の嵌合凸部５と、扉１２の押圧板３に設けた嵌合凹部６との間に輸液チューブＴが挟まった時点（図１２（Ａ）、（Ｂ）の状態）から、扉１２が更に閉じ側に操作され、押圧板３の背面側の圧縮コイルばね３３，３３が収縮して押圧板３が扉１２側に変位しても、扉１２を閉じることができない（完全閉鎖位置まで到達しない）。これによって、チューブセット不良時において扉１２の閉鎖を更に確実に阻止することができる。
【００６５】
（変形例１−１）
上記した［実施形態１］では、ポンプ本体１１のポンプフィンガ部１３３（フィンガ群２１・・２１）の側方両側に、それぞれ、１つの嵌合凸部５を設け、扉１２に配置の押圧板３に、上記ポンプ本体１１の各嵌合凸部５，５に対応する位置に嵌合凹部６，６を設けているが、これに限られることなく、ポンプ本体１１のポンプフィンガ部１３３（フィンガ群２１・・２１）の側方両側に、それぞれ、複数の嵌合凸部５・・５をフィンガ配列方向（ポンプフィンガ部１３３での輸液送り方向）に沿って配置するとともに、それら複数の嵌合凸部５・・５に対応する数の嵌合凹部６・・６を扉１２側の押圧板３に設けておいてもよい。その一例を図１４に示す。
【００６６】
この例では、図１４（Ａ）に示すように、ポンプ本体１１のポンプフィンガ部１３３（フィンガ群２１・・２１）の側方両側に、それぞれ、３つの嵌合凸部５・・５をフィンガ配列方向（ポンプフィンガ部１３３での輸液送り方向）に沿って等間隔で配置している。より詳細には、ポンプフィンガ部１３３の輸液送り方向の上流部、中央部、及び、下流部の３か所にそれぞれ嵌合凸部５を配置している。つまり、ポンプフィンガ部１３３の側方片側に３つの嵌合凸部５・・５を設けており、全体として、ポンプ本体１１側に６つの嵌合凸部５・・５を設けている。
【００６７】
また、扉１２側の嵌合凹部については、図１４（Ｂ）に示すように、押圧板３の支持部３２，３２に、それぞれ、上記ポンプ本体１１側の複数（片側３つ）の嵌合凸部５・・５に対応する数（片側３つ）の嵌合凹部６・・６を設けている。これら嵌合凹部６・・６についても輸液送り方向（押圧部３１の長手方向）に沿って、上記ポンプ本体１１側の嵌合凸部５・・５と対応するピッチで配置されている。
【００６８】
そして、この例においても、輸液チューブＴが複数のフィンガ２１・・２１上に直線状に配置された状態で扉１２の閉鎖操作が行われた場合には、その扉１２を閉じる過程において、ポンプ本体１１側の各嵌合凸部５と、その各嵌合凸部５に対応する扉１２の各嵌合凹部６とが互いに嵌り合うので、扉１２を完全に閉鎖することができる。
【００６９】
これに対し、輸液チューブＴがフィンガ２１（ポンプフィンガ部１３３）の側方に外れた場合（図１１（Ａ）、（Ｂ）参照）、ポンプ本体１１側の嵌合凸部５上に輸液チューブＴが存在するので、扉１２を閉じる過程において、ポンプ本体１１側の嵌合凸部５（先端角部）と扉１２側の嵌合凹部６（開口の角部）との間に輸液チューブＴが挟まり、その挟まった輸液チューブＴが障害となって扉１２を閉じることができなくなる（図１２（Ａ）、（Ｂ）参照）。したがって、この例においても、チューブセットの際に扉１２の閉鎖が不可であるときには、看護師等のユーザは、輸液チューブＴが正しくセットされていないことを知ることができる。
【００７０】
ここで、この例の構造によれば、輸液チューブＴを輸液ポンプ１にセットする際に、ポンプフィンガ部１３３（複数のフィンガ２１・・２１）の輸液送り方向（フィンガ配列方向）の上流部のみにおいて輸液チューブＴが側方（フィンガ２１の側方）に外れた場合、ポンプフィンガ部１３３の輸液送り方向の中央部のみにおいて輸液チューブＴが側方（フィンガ２１の側方）に外れた場合、あるいは、ポンプフィンガ部１３３（複数のフィンガ２１・・２１）の輸液送り方向の下流部のみにおいて輸液チューブＴが側方（フィンガ２１の側方）に外れた場合の、いずれの場合であっても、扉１２を閉じることはできないので、チューブセット不良時において扉１２の閉鎖を更に確実に阻止することができる。
【００７１】
（変形例１−２）
この例では、扉１２側の嵌合凹部を、押圧板に設けるのではなく、扉１２の内壁１２０に設けている点に特徴がある。その具体的な構成について図１５を参照して説明する。
【００７２】
この例の押圧板３０は、図１５（Ａ）〜（Ｃ）に示すように、押圧部３１の上端部（輸液送り方向の上流部）及び下端部（輸液送り方向の下流部）のみに支持部３２を設けており、押圧部３１の長手方向（輸液送り方向）の中央部分の側方両側は開放されている。
【００７３】
一方、扉１２の内壁１２０には、当該内壁１２０から内側（ポンプ本体１１側）に向けて突出する部材であって、一定の間隔を隔てて互いに対向する一対の突出片６１，６１が一体形成されており、この一対の突出片６１，６１に挟まれる部分が嵌合凹部６０となっている。一対の突出片６１，６１は、押圧部３１の長手方向（輸液送り方向）と直交する方向（内壁１２０面と並行な方向）に一定の厚さで延びる部材であり、したがって、嵌合凹部６０も押圧部３１の長手方向（輸液送り方向）と直交する方向（内壁１２０面と並行な方向）に一定幅ｗａで延びるスリット状の凹部である。
【００７４】
そして、この例においても、輸液チューブＴが複数のフィンガ２１・・２１上に直線状に配置された状態（図２等参照）で扉１２の閉鎖操作が行われた場合には、その扉１２を閉じる過程において、ポンプ本体１１側の嵌合凸部５（図７等参照）と、扉１２側の嵌合凹部６０とが互いに嵌り合うので、扉１２を完全に閉鎖することができる。
【００７５】
これに対し、輸液チューブＴがフィンガ２１（ポンプフィンガ部１３３）の側方に外れた場合（図１１（Ａ）、（Ｂ）参照）、ポンプ本体１１側の嵌合凸部５上に輸液チューブＴが存在するので、扉１２を閉じる過程において、ポンプ本体１１側の嵌合凸部５（先端角部）と扉１２側の嵌合凹部６０（開口の角部）との間に輸液チューブＴが挟まり、その両者間に挟まった輸液チューブＴが障害となって扉１２を閉じることができなくなる。したがって、この例においても、チューブセットの際に扉１２の閉鎖が不可であるときには、看護師等のユーザは、輸液チューブＴが正しくセットされていないことを知ることができる。
【００７６】
［実施形態２］
次に、本発明の輸液ポンプの他の例について図１６〜図２０を参照して説明する。
【００７７】
この例の輸液ポンプ１００は、上記した［実施形態１］と同様に、ペリスタルティックフィンガ式の輸液ポンプであって、ポンプ本体１１と、このポンプ本体１１の前面側（チューブ装着部）を閉鎖する扉１２とを備えている。扉１２には、押圧板２０３が設けられており、扉１２を閉鎖した状態で、ポンプ機構２の複数のフィンガ２１・・２１に押圧板２０３が対向するようになっている。
【００７８】
また、ポンプ本体１１の前面壁１１０にはチューブ装着ガイド（ガイド溝）１３０が設けられている。チューブ装着ガイド１３０は、輸液送り方向の上流側から順に、上流側ガイド部１３１、この上流側ガイド部１３１から矩形状に拡大したポンプフィンガ部１３３、及び、下流側ガイド部１３２を備えている。ポンプフィンガ部１３３には、上述したポンプ機構２のフィンガ２１・・２１の先端部が臨んでいる。
【００７９】
この例の輸液ポンプ１００において、以下に説明する構成以外については、上記した［実施形態１］と同様な構成であるので、その具体的な説明は省略する。
【００８０】
まず、押圧板２０３は、上記した［実施形態１］と同様に、中央の押圧部２３１と、この押圧部２３１の側方両側（上下方向（輸液送り方向）と交差（直交）する側方の両側）に一体形成された支持部２３２，２３２とによって構成されている。
【００８１】
押圧板２０３の押圧部２３１は、扉１２を閉鎖した状態でポンプ本体１１のポンプフィンガ部１３３（矩形状の凹部）に入り込むことが可能となっており、その扉１２の閉鎖状態で、押圧部２３１が上記ポンプ機構２のフィンガ２１（最後退位置のフィンガ２１）の先端に対して所定の間隔（輸液チューブＴの外径（直径）に相当する間隔）をあけて対向するようになっている（図１８参照）。
【００８２】
押圧板２０３は、図１９に示すように、支持ピン（小ねじ等）２３４・・２３４によって扉１２の内壁１２０に対し接近離反自在に支持されている。また、押圧板２０３と扉１２の内壁１２０との間には圧縮コイルばね２３３，２３３が挟み込まれており、輸液チューブＴがポンプ機構２のフィンガ２１によって圧閉される際に、輸液チューブＴがフィンガ２１から受ける負荷が大きすぎる場合は、押圧板２０３が扉１２の内壁１２０側へ後退するようなっている。これにより輸液チューブＴがフィンガ２１から受ける過負荷を軽減することができ、輸液チューブＴの寿命を延ばすことができる。なお、押圧板２０３の支持部２３２，２３２の中央（押圧部２３１の長手方向の中央）には、後述する嵌合凸部２０６，２０６が設けられている。
【００８３】
そして、この例の輸液ポンプ１００では、図１６〜図２０に示すように、ポンプ本体１１側に嵌合凹部２０５，２０５を設けるとともに、扉１２側に嵌合凸部２０６，２０６を設けており、ポンプ本体１１のチューブ装着ガイド１３０に輸液チューブＴを装着する扉開放状態のときには、ポンプ本体１１側の嵌合凹部２０５と扉１２側の嵌合凸部２０６とは非嵌合状態であり、その扉開放状態から扉１２が閉鎖される過程において嵌合凸部２０６と嵌合凹部２０５とが嵌合するように構成している。その具体的な構成について以下に説明する。
【００８４】
まず、ポンプ本体１１には、ポンプフィンガ部１３３（フィンガ群２１・・２１）の側方両側（フィンガ配列方向と交差（直交）する側方の両側）に、それぞれ、一対の突出片２５１，２５１が設けられている。一対の突出片２５１，２５１は、一定の間隔を隔てて互いに対向しており、当該一対の突出片２５１，２５１に挟まれる部分が嵌合凹部２０５となっている。また、一対の突出片２５１，２５１は、フィンガ配列方向と直交する方向（前面壁１１０と並行な方向）に一定の厚さで延びる部材であり、したがって、嵌合凹部２０５，２０５もフィンガ配列方向と直交する方向（前面壁１１０と並行な方向）に一定幅ｗｂで延びるスリット状の凹部となっている。嵌合凹部２０５，２０５はポンプフィンガ部１３３の中央（フィンガ配列方向の中央）に位置している。
【００８５】
なお、嵌合凹部２０５を形成する一対の突出片２５１，２５１は、それぞれ、ポンプ本体１１の前面壁１１０及びポンプフィンガ部１３３の側壁１３３ａ，１３３ａに一体形成されている。また、各突出片２５１の高さ（ポンプ本体１１の前面壁１１０に対する高さ）は、ポンプフィンガ部１３３の１３３ａ，１３３ａと同じである。
【００８６】
一方、扉１２側の嵌合凸部２０６，２０６は押圧板２０３に設けられている。具体的には、嵌合凸部２０６，２０６は、押圧板２０３の押圧部２３１の側方両側の支持部２３２であって、上記ポンプ本体１１側の各嵌合凹部２０５，２０５に対応する位置に設けられている。嵌合凸部２０６，２０６は、それぞれ、押圧部２３１の長手方向（輸液送り方向）と直交する方向（内壁１２０面と略並行な方向）に一定の厚さｔｂで延びる正面視矩形の部材であって、押圧部２３１の中央（輸液送り方向の中央）に位置している。また、嵌合凸部２０６，２０６の支持部２３２に対する高さは、押圧部２３１の高さよりも高くしており、当該扉１２を閉鎖したときに、ポンプ本体１１側の嵌合凹部２０５，２０５に嵌り合うことが可能となっている（図１８参照）。
【００８７】
さらに、嵌合凸部２０６の厚さｔｂ（上下方向の厚さ）は、ポンプ本体１１側の嵌合凹部２０５の幅（スリット幅）ｗｂよりも所定量だけ小さく設定されている。また、図１８に示すように、嵌合凸部２０６，２０６の長さＬｂ（押圧部２３１の長手方向と直交する方向の長さ）は、上記ポンプ本体１１側の嵌合凹部２０５，２０５の長さ（押圧部２３１の長手方向と直交する方向の長さ）Ｍｂよりも短い寸法となっており、扉１２を閉じる過程において（輸液チューブＴが正しく装着されている状態において）、ポンプ本体１１側の突出片２５１，２５１と扉１２側の押圧板２０３とが干渉しないようになっている。
【００８８】
また、扉１２の完全閉鎖状態において、嵌合凸部２０６が嵌合凹部２０５に嵌り込む深さＤｂ（図１８参照）は、扉１２に設けた押圧板２０３が圧縮コイルばね２３３の弾性力に抗して扉１２の内壁１２０側に変位する変位量の最大値よりも十分に大きな寸法に設定している。
【００８９】
また、扉１２の完全閉鎖状態において、嵌合凹部２０５の底面と嵌合凸部２０６の先端との間に隙間が形成されるようになっており（図１８参照）、それら嵌合凹部２０５の底面と嵌合凸部２０６の先端とが干渉することはない。
【００９０】
＜作用効果＞
次に、本実施形態の作用効果について図１６〜図２３を参照して説明する。
【００９１】
まず、図１６及び図２０に示すように、輸液チューブＴが複数のフィンガ２１・・２１上に直線状に配置された状態で扉１２の閉鎖操作が行われた場合には、その扉１２を閉じる過程において、ポンプ本体１１に設けた嵌合凹部２０５，２０５（ポンプ本体側の嵌合凹部）と、扉１２の押圧板２０３に設けた嵌合凸部２０６，２０６（扉側の嵌合凸部）とが互いに嵌り合うので、扉１２を完全に閉鎖することができる。
【００９２】
これに対し、例えば、輸液チューブがたるんだ状態で装着されており、扉１２を閉じる過程などにおいて輸液チューブＴがフィンガ２１（ポンプフィンガ部１３３）の左側方（正面から見て左側方）に外れた場合、ポンプ本体１１側の一対の突出片２５１，２５１（左側の嵌合凹部２０５）上に輸液チューブＴが位置するので（図２１（Ａ）参照）、扉１２を閉じる過程において、図２２（Ａ）及び図２３に示すように、ポンプ本体１１側の嵌合凹部２０５（開口の角部）と扉１２側の嵌合凸部２０６（先端角部）との間に輸液チューブＴが挟まり、その両者間に挟まった輸液チューブＴが障害となって扉１２を閉じることができなくなる。
【００９３】
また、同様な理由により、輸液チューブＴがフィンガ２１（ポンプフィンガ部１３３）の右側方（正面から見て右側方）に外れた場合、ポンプ本体１１側の一対の突出片２５１，２５１（右側の嵌合凹部２０５）上に輸液チューブＴが位置するので（図２１（Ｂ）参照）、扉１２を閉じる過程において、図２２（Ｂ）に示すように、ポンプ本体１１側の嵌合凹部２０５（開口の角部）と扉１２側の嵌合凸部２０６（先端角部）との間に輸液チューブＴが挟まり、その両者間に挟まった輸液チューブＴが障害となって扉１２を閉じることができなくなる。
【００９４】
このように、この実施形態にあっても、輸液チューブＴが正しくセットされていない場合には、扉１２を閉じることができないので、チューブセットの際に扉１２の閉鎖が不可であるときには、看護師等のユーザは、輸液チューブＴが正しくセットされていないことを知ることができる。そして、そのセット不良に気づいたときに、輸液チューブＴをポンプ本体１１に装着しなおすことにより、輸液チューブＴを正しくセットすることが可能になる。これにより、輸液チューブＴが正しくセットされていない状態で輸液ポンプ１００が駆動されてしまう、という不都合を回避することができる。
【００９５】
しかも、本実施形態では、扉１２の完全閉鎖状態において嵌合凸部２０６が嵌合凹部２０５に嵌り込む深さＤｂ（図１８参照）は、扉１２に設けた押圧板２０３が圧縮コイルばね２３３，２３３の弾性力に抗して扉１２側に変位する変位量の最大値よりも十分に大きな寸法としているので、ポンプ本体１１側の嵌合凹部２０５と、扉１２の押圧板２０３に設けた嵌合凸部２０６との間に輸液チューブＴが挟まった時点（図２２（Ａ）、（Ｂ）の状態）から、扉１２が更に閉じ側に操作され、押圧板２０３の背面側の圧縮コイルばね２３３，２３３が収縮して押圧板２０３が扉１２側に変位しても、扉１２を閉じることができない（完全閉鎖位置まで到達しない）。これによって、チューブセット不良時において扉１２の閉鎖を更に確実に阻止することができる。
【００９６】
（変形例２−１）
上記した［実施形態２］では、ポンプ本体１１のポンプフィンガ部１３３（フィンガ群２１・・２１）の側方両側に、それぞれ、１つの嵌合凹部２０５を設け、扉１２の押圧板２０３に、上記ポンプ本体１１の各嵌合凹部２０５に対応する位置に嵌合凸部２０６を設けているが、これに限られることなく、ポンプ本体１１のポンプフィンガ部１３３（フィンガ群２１・・２１）の側方両側に、それぞれ、複数の嵌合凹部をフィンガ配列方向（ポンプフィンガ部１３３での輸液送り方向）に沿って配置するとともに、それら複数の嵌合凹部に対応する数の嵌合凸部を扉１２の押圧板２０３に設けておいてもよい。その一例を図２４に示す。
【００９７】
この例では、図２４（Ａ）に示すように、ポンプ本体１１のポンプフィンガ部１３３（フィンガ群２１・・２１）の側方両側に、それぞれ、三対の突出片２５１，２５１を設けて、フィンガ配列方向（輸液送り方向）に沿って３つの嵌合凹部２０５・・２０５を等間隔で配置している。より詳細には、ポンプフィンガ部１３３の輸液送り方向の上流部、中央部、及び、下流部の３か所にそれぞれ嵌合凹部２０５を配置している。つまり、ポンプフィンガ部１３３の側方片側に３つの嵌合凹部２０５・・２０５を設けており、全体として、ポンプ本体１１に６つの嵌合凹部２０５・・２０５を設けている。
【００９８】
また、扉１２側の嵌合凸部については、図２４（Ｂ）に示すように、押圧板２０３の支持部２３２，２３２に、それぞれ、上記ポンプ本体１１側の複数（片側３つ）の嵌合凹部２０５・・２０５に対応する数（片側３つ）の嵌合凸部２０６・・２０６を設けている。これら嵌合凸部２０６・・２０６についても輸液送り方向（押圧部２３１の長手方向）に沿って、上記ポンプ本体１１側の嵌合凹部２０５・・２０５と対応するピッチで配置されている。
【００９９】
この例においても、輸液チューブＴが複数のフィンガ２１・・２１上に直線状に配置された状態で扉１２の閉鎖操作が行われた場合には、その扉１２を閉じる過程において、ポンプ本体１１側の各嵌合凹部２０５と、その嵌合凹部２０５に対応する扉１２側の各嵌合凸部２０６とが互いに嵌り合うので、扉１２を完全に閉鎖することができる。
【０１００】
これに対し、輸液チューブＴがフィンガ２１（ポンプフィンガ部１３３）の側方に外れた場合（図２１（Ａ）、（Ｂ）参照）、ポンプ本体１１側の突出片２５１，２５１（嵌合凹部２０５）上に輸液チューブＴが位置するので、扉１２を閉じる過程において、ポンプ本体１１側の嵌合凹部２０５（開口の角部）と扉１２側の嵌合凸部２０６（先端角部）との間に輸液チューブＴが挟まり、その両者間に挟まった輸液チューブＴが障害となって扉１２を閉じることができなくなる（図２２（Ａ）、（Ｂ）参照）。したがって、この例においても、チューブセットの際に、扉１２の閉鎖が不可であるときには、看護師等のユーザは、輸液チューブＴが正しくセットされていないことを知ることができる。
【０１０１】
ここで、この例の構造によれば、輸液チューブＴを輸液ポンプ１００にセットする際に、ポンプフィンガ部１３３（複数のフィンガ２１・・２１）の輸液送り方向の上流部のみにおいて輸液チューブＴが側方（フィンガ２１の側方）に外れた場合、ポンプフィンガ部１３３の輸液送り方向の中央部のみにおいて輸液チューブＴが側方（フィンガ２１の側方）に外れた場合、あるいは、ポンプフィンガ部１３３（複数のフィンガ２１・・２１）の輸液送り方向の下流部のみにおいて輸液チューブＴが側方（フィンガ２１の側方）に外れた場合の、いずれの場合であっても、扉１２を閉じることはできないので、チューブセット不良時において扉１２の閉鎖を更に確実に阻止することができる。
【０１０２】
（変形例２−２）
この例では、扉１２側の嵌合凸部を、押圧板に設けるのではなく、扉１２の内壁１２０に設けている点に特徴がある。その具体的な構成について図２５を参照して説明する。
【０１０３】
この例の押圧板２３０は、図２５（Ａ）〜（Ｃ）に示すように、押圧部２３１の上端部（輸液送り方向の上流部）及び下端部（輸液送り方向の下流部）のみにそれぞれ支持部２３２・・２３２を設けており、押圧部２３１の輸液送り方向の中央部の側方両側は開放されている。
【０１０４】
一方、扉１２の内壁１２０には、当該内壁１２０から内側（ポンプ本体１１側）に向けて突出する嵌合凸部２６０が一体形成されている。この嵌合凸部２６０は、押圧部２３１の長手方向（輸液送り方向）と直交する方向に一定の厚さで延びる正面視矩形の部材であって、押圧部２３１の中央（輸液送り方向の中央）に位置している。なお、ポンプ本体１１側の嵌合凹部２０５は図１７と同じ形態である。
【０１０５】
そして、この例においても、輸液チューブＴが複数のフィンガ２１・・２１上に直線状に配置された状態（図１６等参照）で扉１２の閉鎖操作が行われた場合には、その扉１２を閉じる過程において、ポンプ本体１１側の嵌合凹部２０５（図１７等参照）と、扉１２の嵌合凸部２６０とが互いに嵌り合うので、扉１２を完全に閉鎖することができる。
【０１０６】
これに対し、輸液チューブＴがフィンガ２１（ポンプフィンガ部１３３）の側方に外れた場合（図２１（Ａ）、（Ｂ）参照）、ポンプ本体１１側の一対の突出片２５１，２５１（嵌合凹部２０５：図２１等参照）上に輸液チューブＴが位置するので、扉１２を閉じる過程において、ポンプ本体１１側の嵌合凹部２０５（開口の角部）と扉１２側の嵌合凸部２６０（先端角部）との間に輸液チューブＴが挟まり、その両者間に挟まった輸液チューブＴが障害となって扉１２を完全に閉鎖できなくなる。したがって、この例においても、チューブセットの際に扉１２の閉鎖が不可であるときには、看護師等のユーザは、輸液チューブＴが正しくセットされていないことを知ることができる。
【産業上の利用可能性】
【０１０７】
本発明は、医療用の薬液を体内に注入する場合などに用いる輸液ポンプに利用可能であり、さらに詳しくは、複数のフィンガを進退駆動することにより輸液チューブを押圧して当該輸液チューブ内の輸液を一方向に送液するポンプ機構を備えたフィンガ式の輸液ポンプに有効に利用することができる。
【符号の説明】
【０１０８】
１  輸液ポンプ
１１  ポンプ本体
１２  扉
１３  ヒンジ
１３０  チューブ装着ガイド
１３１  上流側ガイド部
１３２  下流側ガイド部
１３３  ポンプフィンガ部
１３３ａ  側壁
１４  扉ロック機構
２  ポンプ機構
２１  フィンガ
３  押圧板
３１  押圧部
３２  支持部
３３  圧縮コイルばね
３４  支持ピン
５，２０６  嵌合凸部
６，２０５  嵌合凹部
【図１】
2013161518.tif 000003
【図２】
2013161518.tif 000004
【図３】
2013161518.tif 000005
【図４】
2013161518.tif 000006
【図５】
2013161518.tif 000007
【図６】
2013161518.tif 000008
【図７】
2013161518.tif 000009
【図８】
2013161518.tif 000010
【図９】
2013161518.tif 000011
【図１０】
2013161518.tif 000012
【図１１】
2013161518.tif 000013
【図１２】
2013161518.tif 000014
【図１３】
2013161518.tif 000015
【図１４】
2013161518.tif 000016
【図１５】
2013161518.tif 000017
【図１６】
2013161518.tif 000018
【図１７】
2013161518.tif 000019
【図１８】
2013161518.tif 000020
【図１９】
2013161518.tif 000021
【図２０】
2013161518.tif 000022
【図２１】
2013161518.tif 000023
【図２２】
2013161518.tif 000024
【図２３】
2013161518.tif 000025
【図２４】
2013161518.tif 000026
【図２５】
2013161518.tif 000027
【図２６】
2013161518.tif 000028
【国際調査報告】
2013161518.tif 000029
2013161518.tif 000030